(57)【要約】【課題】描画データのデータ量を増やすことなく、爪幅方向の両端部までデザインが崩れず、濃度も安定した描画を行うことのできる描画装置及び描画方法を提供する。【解決手段】インクを噴射する複数のノズルを備えてなる描画ヘッド４１と、複数のノズルの全部又は一部を駆動させながら描画対象である爪Ｔ表面上で単位領域あたり複数回描画ヘッドを走査させ、マルチパス方式にて画像を形成させるように描画ヘッド４１を制御する描画制御部８１４と、描画対象である爪Ｔ表面の爪幅方向における湾曲の程度を取得する爪情報検出部８１２と、描画ヘッド４１の複数回の走査における複数のノズルの駆動状況を爪Ｔ表面の湾曲の程度に基づいて規定する噴射制御データを生成する描画データ生成部８１３とを備え、描画制御部８１４は、噴射制御データに基づいて描画ヘッド４１を制御する。【選択図】図２
2018153526.tif 000002
【特許請求の範囲】
【請求項１】
描画対象である爪表面に対して描画を行う描画ヘッドと、
前記爪表面の特定の場所に対して前記描画ヘッドを複数回走査させ、前記複数回の走査のそれぞれにおいて前記特定の場所に対して前記描画ヘッドにより前記描画を行うか否かを前記爪表面の湾曲の程度に基づいて制御する描画制御部と、
を備えることを特徴とする描画装置。
【請求項２】
前記描画ヘッドは、インクを噴射する複数のノズルを備え、
前記描画制御部は、前記複数のノズルの全部又は一部を駆動させながら前記爪表面に対して前記描画ヘッドを前記複数回走査させて画像を形成させるように前記描画ヘッドを制御し、前記複数回の走査のそれぞれにおける前記複数のノズルの駆動状況を前記爪表面の前記爪表面の湾曲の程度に基づいて制御することを特徴とする請求項１に記載の描画装置。
【請求項３】
前記描画制御部は、前記爪表面上の特定の箇所に対して前記複数回の走査により前記複数のノズルの全部又は一部から噴射されて塗布されるインクの量が、前記特定の箇所の前記湾曲の程度が大きいほど増えるように制御することを特徴とする請求項２に記載の描画装置。
【請求項４】
前記描画ヘッドの複数回の前記走査における前記複数のノズルの駆動状況を前記爪表面の湾曲の程度に基づいて規定する噴射制御データを生成する描画データ生成部を備え、
前記描画制御部は、前記噴射制御データに基づいて前記描画ヘッドを制御し、
前記描画データ生成部は、前記爪に描画するネイルデザインのデザインデータを前記爪の爪幅方向における長さを前記爪表面の湾曲の程度に応じて伸長させた幅広画像データを形成するとともに、当該幅広画像データにおける前記爪幅方向の両端部に対応するデータを前記爪表面の湾曲の程度に応じて圧縮し前記爪の二次元上の形状に合致させる形状補正を行って描画用画像データを生成し、当該描画用画像データについて前記噴射制御データを生成することを特徴とする請求項２又は請求項３に記載の描画装置。
【請求項５】
描画装置の描画方法であって、
前記描画装置は、描画対象である爪表面に対して描画を行う描画ヘッドを備え、
前記爪表面の特定の場所に対して前記描画ヘッドを複数回走査させる第１制御ステップと、
前記複数回の走査のそれぞれにおいて前記特定の場所に対して前記描画ヘッドにより前記描画を行うか否かを前記爪表面の湾曲の程度に基づいて制御する第２制御ステップと、
を含むことを特徴とする描画方法。
【請求項６】
前記描画ヘッドは、インクを噴射する複数のノズルを備え、
前記第１制御ステップにおいて、前記複数のノズルの全部又は一部を駆動させながら前記爪表面に対して前記描画ヘッドを前記複数回走査させ、
前記第２制御ステップにおいて、前記複数回の走査のそれぞれにおける前記複数のノズルの駆動状況を前記爪表面の湾曲の程度に基づいて制御する、
ことを特徴とする請求項５に記載の描画方法。
【請求項７】
前記第２制御ステップにおいて、前記爪表面上の特定の箇所に対して前記複数回の走査により前記複数のノズルの全部又は一部から噴射されて塗布されるインクの量が、前記特定の箇所の前記湾曲の程度が大きいほど増えるように制御する、
ことを特徴とする請求項６に記載の描画方法。
【請求項８】
前記爪の爪幅方向における位置に応じた前記描画ヘッドの複数回の前記走査における前記複数のノズルの駆動状況を前記爪表面の湾曲の程度に基づいて規定する噴射制御データを生成する噴射制御データ生成ステップと、
前記噴射制御データに基づいて前記描画ヘッドの前記複数のノズルを駆動させて前記爪に描画を行う描画ステップと、
を含み、
前記噴射制御データ生成ステップにおいて、
前記爪に描画するネイルデザインのデザインデータを前記爪の爪幅方向における長さを前記爪表面の湾曲の程度に応じて伸長させた幅広画像データを形成し、
当該幅広画像データにおける前記爪幅方向の両端部に対応するデータを前記爪表面の湾曲の程度に応じて圧縮して前記爪の二次元上の形状に合致させる形状補正を行うことで描画用画像データを生成し、
前記噴射制御データは、当該描画用画像データについて生成されることを特徴とする請求項６又は請求項７に記載の描画方法。
【発明の詳細な説明】
【技術分野】
【０００１】
本発明は、描画装置及び描画方法に関するものである。
【背景技術】
【０００２】
従来、人の指の爪に好みのネイルデザインを描画する描画装置（ネイルプリント装置）が知られている（例えば、特許文献１参照）。
このような装置を用いれば、ネイルサロン等を利用することなく、手軽にネイルプリントを楽しむことができる。
【０００３】
しかし、ネイルプリント装置の描画対象である人の爪は、幅方向の左右両端部が低く中心部近傍が高くなっていて全体に丸みを帯びた湾曲形状をしている。
このため、幅方向の端部では、その傾斜の角度によって描画箇所の濃度が変動したり、描画された画像（ネイルデザイン）に伸びや歪み等を生じたりずる。
すなわち、描画対象面である爪表面の端部が傾斜している場合には、爪表面を上方から平面的に見た場合の見かけ上の爪幅寸法よりも、傾斜分も含めた実際の爪幅寸法は大きくなる。このため、描画すべき画像のデータを見かけ上の爪幅寸法にしたがって均等に割り付けると、描画された画像（ネイルデザイン）が高さ方向に伸びてしまう。
また、爪の端部では爪の中央部よりも濃度が薄くなり、見栄えが悪くなってしまう。
【０００４】
そこで、描画すべき画像のデータに曲面補正を行い、爪の幅方向の両端部の解像度を良好な程度に維持しつつ、それ以外の部分では、適宜データを間引きながら描画を行うことで、爪の幅方向の両端部の解像度が中央部の比較的平坦な部分の解像度よりも極端に落ちないようにし、ネイルデザインの形状が崩れたり、濃度が低下したりするのを防止する手法をとることも考えられる。
【先行技術文献】
【特許文献】
【０００５】
【特許文献１】特表２００３−５３４０８３号公報
【発明の概要】
【発明が解決しようとする課題】
【０００６】
しかしながら、上記手法で補正した場合には、曲面補正を実施しない領域（爪幅方向中央部の比較的平坦な部分等）も含めた全体の解像度を、曲面補正を行う爪幅方向の両端部の解像度に合せて設定することとなるため、画像データに曲面補正を行わない場合と比較してデータが大きくなってしまう。
このため、曲面補正を行わない場合と比べて描画用の画像データを格納するためのメモリも容量の大きなものが必要となるという問題がある。
【０００７】
本発明は以上のような事情に鑑みてなされたものであり、描画データのデータ量を増やすことなく、爪幅方向の両端部までデザインが崩れず、濃度も安定した描画を行うことのできる描画装置及び描画方法を提供することを目的とするものである。
【課題を解決するための手段】
【０００８】
前記課題を解決するために、本発明の描画装置は、
描画対象である爪表面に対して描画を行う描画ヘッドと、
前記爪表面の特定の場所に対して前記描画ヘッドを複数回走査させ、前記複数回の走査のそれぞれにおいて前記特定の場所に対して前記描画ヘッドにより前記描画を行うか否かを前記爪表面の湾曲の程度に基づいて制御する描画制御部と、
を備えることを特徴としている。
【発明の効果】
【０００９】
本発明によれば、描画データのデータ量を増やすことなく、爪幅方向の両端部までデザインが崩れず、濃度も安定した描画を行うことができる。
【図面の簡単な説明】
【００１０】
【図１】（ａ）は、本実施形態における描画装置の正面図であり、（ｂ）は、（ａ）に示された描画装置の内部構成を示す側面図である。
【図２】本実施形態に係る描画装置の制御構成を示した要部ブロック図である。
【図３】描画対象である爪の一例を示す平面図である。
【図４】（ａ）は、曲面レベルと各曲面レベルにおける補正レベル値との対応を示す図であり、（ｂ）は、各曲面レベルの爪のイメージを示す図である。
【図５】爪の端部側の各位置と補正レベル値との対応を示す図である。
【図６】ネイルデザインの画像データの形状補正を模式的に示した説明図である。
【図７】（ａ）は、単位領域の一例を示す図であり、（ｂ）は、噴射制御テーブルの一例を示す図である。
【図８】（ａ）は、補正レベル値１のときの各走査における噴射制御の一例を示す図であり、（ｂ）は、補正レベル値２のときの各走査における噴射制御の一例を示す図であり、（ｃ）は、補正レベル値３のときの各走査における噴射制御の一例を示す図であり、（ｄ）は、補正レベル値４のときの各走査における噴射制御の一例を示す図である。
【図９】濃度補正を行った場合の描画状態を示す模式図である。
【図１０】噴射制御の変形例を示す図である。図である。
【図１１】本実施形態における描画処理を示すフローチャートである。
【発明を実施するための形態】
【００１１】
図１から図１１を参照しつつ、本発明に係るネイルプリント装置（描画装置）及びネイルプリント装置（描画装置）の描画方法の一実施形態について説明する。
なお、以下に述べる実施形態には、本発明を実施するために技術的に好ましい種々の限定が付されているが、本発明の範囲を以下の実施形態及び図示例に限定するものではない。
また、以下の実施形態では、ネイルプリント装置１は手の指の爪の表面を描画対象面として、これに描画するものとして説明するが、本発明の描画対象面は手の指の爪の表面に限るものではなく、例えば足の指の爪の表面を描画対象面としてもよい。
【００１２】
図１（ａ）は、ネイルプリント装置の内部構成を示すネイルプリント装置の正面図であり、図１（ｂ）は、図１（ａ）に示されたネイルプリント装置の内部構成を示す側面図である。
図１（ａ）及び図１（ｂ）に示すように、本実施形態におけるネイルプリント装置１は、描画部４０が描画用具である描画ヘッド４１を備え、インクジェット方式にて印刷指Ｕ１の爪Ｔに描画を施す描画装置である。
このネイルプリント装置１は、ケース本体２と、このケース本体２に収容される装置本体１０とを備えている。
【００１３】
ケース本体２の側面上部一端には、後述する描画部４０の描画ヘッド４１を交換するために開閉可能に構成された蓋部２３が設けられている。蓋部２３は、例えばヒンジ等を介して、図１に示すように閉状態から開状態まで回動自在となっている。
【００１４】
ケース本体２の上面（天板）には操作部２５（図２参照）が設置されている。
操作部２５は、ユーザが各種入力を行う入力部である。
操作部２５には、例えば、ネイルプリント装置１の電源をＯＮする電源スイッチ釦、動作を停止させる停止スイッチ釦、爪Ｔに描画するデザイン画像を選択するデザイン選択釦、描画開始を指示する描画開始釦等、各種の入力を行うための図示しない操作釦が配置されている。
【００１５】
また、ケース本体２の上面（天板）のほぼ中央部には表示部２６が設置されている。
表示部２６は、例えば液晶ディスプレイ（ＬＣＤ：Liquid Crystal Display）、有機エレクトロルミネッセンスディスプレイその他のフラットディスプレイ等で構成されている。
本実施形態において、この表示部２６には、例えば、印刷指Ｕ１を撮影して得た爪画像（爪Ｔの画像を含む印刷指Ｕ１の画像）、この爪画像中に含まれる爪Ｔの輪郭等の画像、爪Ｔに描画すべきデザイン画像を選択するためのデザイン選択画面、デザイン確認用のサムネイル画像、各種の指示を表示させる指示画面等が適宜表示される。
なお、表示部２６の表面に各種の入力を行うためのタッチパネルが一体的に構成されていてもよい。
【００１６】
装置本体１０は、ほぼ箱状に形成され、ケース本体２の内部下方に設置された下部機枠１１と、この下部機枠１１の上方で且つケース本体２の内部上方に設置されている上部機枠１２とを備えている。
【００１７】
まず、下部機枠１１について説明する。
下部機枠１１は、背面板１１１、底板１１２、左右一対の側板１１３ａ，１１３ｂ、Ｘ方向移動ステージ収容部１１４、Ｙ方向移動ステージ収容部１１５及び隔壁１１６を有する。
側板１１３ａ，１１３ｂの下端部は、底板１１２の左右両端部にそれぞれ連結され、側板１１３ａ，１１３ｂが底板１１２に対して立てられた状態に設けられている。
背面板１１１の下部は、前方（指挿入方向手前側）に向かって２段に窪むように形成されている。背面板１１１の下端部は底板１１２の前端部に連結されており、背面板１１１は、底板１１２と側板１１３ａ，１１３ｂによって囲われた領域を前後に区切っている。
この窪んだ背面板１１１の後ろ側に形成される空間がＸ方向移動ステージ収容部１１４、Ｙ方向移動ステージ収容部１１５（図１（ｂ）参照）となっている。Ｘ方向移動ステージ収容部１１４内には、描画部４０が前方（指挿入方向手前側）に移動した際に描画部４０のＸ方向移動ステージ４５が収容される。また、Ｙ方向移動ステージ収容部１１５内には、描画部４０のＹ方向移動ステージ４７が配置されている。
また、隔壁１１６は、下部機枠１１の内部前方側の空間（背面板１１１、底板１１２及び側板１１３ａ，１１３ｂによって囲われた指挿入方向手前側の空間）を上下に区切るように下部機枠１１の内側に設けられている。隔壁１１６はほぼ水平に設けられ、隔壁１１６の左右両端部が側板１１３ａ，１１３ｂにそれぞれ連結され、隔壁１１６の後端部が背面板１１１に連結されている。
【００１８】
この下部機枠１１には、指固定部３０（図１（ｂ）参照）が一体的に設けられている。
指固定部３０は、描画を施す爪Ｔに対応する指（以下、これを「印刷指Ｕ１」という。）を受け入れる指受入部３１と、この印刷指Ｕ１以外の指（以下、これを「非印刷指Ｕ２」という。）を退避させる指退避部３２と、から構成されている。
指受入部３１は、隔壁１１６の上側であって下部機枠１１の幅方向のほぼ中央部に配置されている。また、隔壁１１６によって下部機枠１１の下側に区分けられた空間が指退避部３２を構成している。
例えば、薬指の爪Ｔに描画を施す場合には、指受入部３１に印刷指Ｕ１としての薬指を挿入し、非印刷指Ｕ２であるその他の４指（親指、人差し指、中指、小指）を指退避部３２に挿入する。
【００１９】
図１（ａ）及び図１（ｂ）に示すように、指受入部３１は、下部機枠１１の前面側（印刷指挿入方向の手前側）に開口しており、下側が隔壁１１６の一部を構成する指載置部１１６ａによって区画されている。指載置部１１６ａは、描画を施す爪Ｔの指（印刷指Ｕ１）をＸＹ平面上に載置するものである。
また、指受入部３１の上側には、指受入部３１に挿入された印刷指Ｕ１の爪Ｔを露出させるための図示しない窓部が形成されている。
また、隔壁１１６の上面であって下部機枠１１の前面側の両側部には、下部機枠１１の前面側を塞ぐ前壁３１ｆ（図１（ａ）参照）が立設されている。また、隔壁１１６の上面には、この前壁３１ｆの中央部寄りの端部から前記指受入部３１に向けて狭窄し、印刷指Ｕ１を指受入部３１内に案内する一対のガイド壁３１ｇ（図１（ａ）参照）が立設されている。
ユーザは指受入部３１に挿入した印刷指Ｕ１と指退避部３２に挿入した非印刷指Ｕ２との間に隔壁１１６を挟むことができる。そのため、指受入部３１内に挿入された印刷指Ｕ１が安定して固定される。
【００２０】
下部機枠１１の上面であって、指受入部３１の横（本実施形態では、図１（ａ）において右側）には、後述する描画ヘッド４１の移動可能範囲内に、非描画時に、描画ヘッド４１が待機するホームエリア６０が設けられている。
ホームエリア６０には、例えば後述する描画ヘッド４１のインク吐出部（ノズル面）をクリーニングするためのクリーニング機構やインク吐出部（ノズル面）の保湿状態を保つためのキャップ機構等（いずれも図示せず）で構成されるインクジェット保守部が、非描画時に描画ヘッド４１が配置される位置に対応して設けられている。
なお、ホームエリア内のインクジェット保守部等の配置はここで例示したものに限定されない。
【００２１】
描画部４０は、描画ヘッド４１、描画ヘッド４１を支持するユニット支持部材４４、描画ヘッド４１をＸ方向（図１（ａ）におけるＸ方向、描画装置１の左右方向）に移動させるためのＸ方向移動ステージ４５、Ｘ方向移動モータ４６、描画ヘッド４１をＹ方向（図１（ｂ）におけるＹ方向、描画装置１の前後方向）に移動させるためのＹ方向移動ステージ４７、Ｙ方向移動モータ４８等を備えて構成されている。
【００２２】
本実施形態において描画ヘッド４１は、ヘッドホルダ４３に保持されてユニット支持部材４４に設けられている。
描画ヘッド４１は、例えば、イエロー（Ｙ；YELLOW）、マゼンタ（Ｍ；MAGENTA）、シアン（Ｃ；CYAN）のインクに対応する図示しないインクカートリッジと各インクカートリッジにおける描画対象（爪Ｔ）に対向する面（本実施形態では、図１（ａ）等における下面）に設けられた図示しないインク吐出部とが一体に形成されたインクカートリッジ一体型のヘッドである。インク吐出部は、それぞれの色のインクを噴射する複数のノズルからなるノズルアレイを備えており、描画ヘッド４１は、インクを微滴化し、インク吐出部から描画対象（爪Ｔ）の被描画面に対して直接にインクを吹き付けて描画を行う。
インクを噴射する複数のノズルは、それぞれ図示しないピエゾ素子（圧電素子）等を備え、後述する描画制御部８１４（図２参照）により、個別に噴射制御を行うことができるようになっている。
なお、描画ヘッド４１は、上記３色のインクを吐出させるものに限定されない。その他のインクを貯留するインクカートリッジ及びインク吐出部を備えていてもよい。
また、描画ヘッド４１のノズルは、個別に噴射制御を行うことが可能なものであればその構成は特に問わず、ピエゾ素子を用いてインクを吐出させる方式のものに限定されない。例えば個々のノズルにヒータを備えるサーマル方式のノズル等であってもよい。
【００２３】
また、ユニット支持部材４４は、Ｘ方向移動ステージ４５に取り付けられたＸ方向移動部４５１に固定されている。Ｘ方向移動部４５１は、Ｘ方向移動モータ４６の駆動によりＸ方向移動ステージ４５上を図示しないガイドに沿ってＸ方向に移動するようになっており、これにより、ユニット支持部材４４に取り付けられている描画ヘッド４１が、Ｘ方向（図１（ａ）におけるＸ方向、ネイルプリント装置１の左右方向）に移動するようになっている。
また、Ｘ方向移動ステージ４５は、Ｙ方向移動ステージ４７のＹ方向移動部４７１に固定されている。Ｙ方向移動部４７１は、Ｙ方向移動モータ４８の駆動によりＹ方向移動ステージ４７上を図示しないガイドに沿ってＹ方向に移動するようになっており、これにより、ユニット支持部材４４に取り付けられている描画ヘッド４１が、Ｙ方向（図１（ｂ）におけるＹ方向、ネイルプリント装置１の前後方向）に移動するようになっている。
なお、本実施形態において、Ｘ方向移動ステージ４５及びＹ方向移動ステージ４７は、Ｘ方向移動モータ４６、Ｙ方向移動モータ４８と、図示しないボールネジ及びガイドとを組み合わせることで構成されている。
本実施形態では、Ｘ方向移動モータ４６及びＹ方向移動モータ４８等により、描画ヘッド４１をＸ方向及びＹ方向に駆動するＸＹ駆動部としてのヘッド移動部４９が構成されている。
【００２４】
描画部４０における描画ヘッド４１、Ｘ方向移動モータ４６、Ｙ方向移動モータ４８は、後述する制御装置８０の描画制御部８１５（図２参照）に接続され、該描画制御部８１５によって制御されるようになっている。
【００２５】
また、撮影部５０は、撮像装置５１と、照明装置５２とを備えている。
この撮影部５０は、指受入部３１内に挿入されて窓部から見える爪Ｔ（爪Ｔを含む印刷指Ｕ１）を照明装置５２によって照明する。そして、撮像装置５１によってその印刷指Ｕ１を撮影して、印刷指Ｕ１の画像である爪画像（爪Ｔの爪画像を含む指の画像）を得るものである。
図１（ａ）及び図１（ｂ）に示すように、本実施形態において、撮像装置５１及び照明装置５２は、上部機枠１２に設けられている。
すなわち、上部機枠１２には基板１３が設置されており、撮影部５０を構成する撮像装置５１及び照明装置５２は、この基板１３の下面に、隔壁１１６に対向するように設けられている。
なお、基板１３に取り付けられている撮像装置５１及び照明装置５２の位置は図示例に限定されない。
【００２６】
撮像装置５１は、例えば、２００万画素程度以上の画素を有する固体撮像素子とレンズ等を備えて構成された小型撮像装置である。
本実施形態では、撮影部５０の撮像装置５１によって、爪Ｔを含む印刷指Ｕ１を撮影して爪画像が取得される。
後述する爪情報検出部８１２は、この爪画像を用いて印刷指Ｕ１及び描画対象である爪Ｔの位置や形状（爪Ｔの輪郭）、爪Ｔの縦横比等を検出するようになっている。
【００２７】
照明装置５２は、例えば白色ＬＥＤ等の照明装置である。
本実施形態では、撮像装置５１の両側、手前側及び奥側に撮像装置５１を囲むように４つの照明装置５２が配置されている。照明装置５２は、下方に向けて光を照射して、撮像装置５１の下方の撮影範囲を照明する。
なお、照明装置５２を設ける数や、その配置等は図示例に限定されない。
【００２８】
この撮影部５０は、後述する制御装置８０の撮影制御部８１１（図２参照）に接続され、該撮影制御部８１１によって制御されるようになっている。
なお、撮影部５０によって撮影された画像（すなわち、爪画像）の画像データは、後述する記憶部８２の爪画像記憶領域８２１に記憶される。
【００２９】
制御装置８０は、例えば上部機枠１２に配置された基板１３等に設置されている。
図２は、本実施形態における制御構成を示す要部ブロック図である。
制御装置８０は、図２に示すように、図示しないＣＰＵ（Central Processing Unit）により構成される制御部８１と、ＲＯＭ（Read Only Memory）及びＲＡＭ（Random Access Memory）等（いずれも図示せず）で構成される記憶部８２とを備えるコンピュータである。
【００３０】
記憶部８２には、ネイルプリント装置１を動作させるための各種プログラムや各種データ等が格納されている。
具体的には、記憶部８２のＲＯＭには、印刷指Ｕ１の位置や形状（輪郭）、爪Ｔの位置や形状（輪郭）、爪Ｔの縦横比等の検出を行うための爪情報検出プログラム、ネイルデザインの画像データに曲面補正等を行って描画用のデータを生成するための描画データ生成プログラム、描画処理を行うための描画プログラム等の各種プログラムが格納されており、これらのプログラムが制御装置８０によって実行されることによって、ネイルプリント装置１の各部が統括制御されるようになっている。
また、本実施形態において記憶部８２には、撮影部５０によって取得されたユーザの印刷指Ｕ１の爪Ｔの爪画像を記憶する爪画像記憶領域８２１、爪情報検出部８１２によって検出された爪情報（印刷指Ｕ１の輪郭や爪Ｔの輪郭、爪Ｔの縦横比等）が記憶される爪情報記憶領域８２２、及び描画対象である爪Ｔに描画されるネイルデザインの画像データ（これを単に「デザインデータ」ともいう。）を記憶するネイルデザイン記憶領域８２３、後述する描画データ生成部８１３が描画データの曲面補正を行う際に必要なデータを記憶する補正用データ記憶領域８２４等が設けられている。
【００３１】
制御部８１は、機能的に見た場合、撮影制御部８１１、爪情報検出部８１２、描画データ生成部８１３、描画制御部８１４、表示制御部８１５等を備えている。これら撮影制御部８１１、爪情報検出部８１２、描画データ生成部８１３、描画制御部８１４、表示制御部８１５等としての機能は、制御部８１のＣＰＵと記憶部８２のＲＯＭに記憶されたプログラムとの共働によって実現される。
【００３２】
撮影制御部８１１は、撮影部５０の撮像装置５１及び照明装置５２を制御して撮像装置５１により、指受入部３１に挿入された印刷指Ｕ１の画像（爪Ｔの画像を含む印刷指Ｕ１の画像、以下「爪画像」という。）を撮影させるものである。
撮影部５０により取得された爪画像の画像データは、記憶部８２の爪画像記憶領域８２１に記憶される。
なお、以下においては、撮影部５０により取得された爪画像から印刷指Ｕ１や爪Ｔの輪郭、爪Ｔの縦横比等を爪情報として検出する場合について説明するが、爪画像から検出される爪情報はこれに限定されず、例えば爪Ｔの曲率等も爪画像に基づいて検出されてもよい。
【００３３】
爪情報検出部８１２は、撮影部５０の撮像装置５１によって取得された爪Ｔを含む印刷指Ｕ１の画像である爪画像から、印刷指Ｕ１の領域を画する指の輪郭や、描画対象である爪Ｔの領域を画する爪Ｔの輪郭（爪形状）、描画対象である爪Ｔ表面の爪幅方向における湾曲の程度を示す曲面レベル等を検出する。
爪情報検出部８１２による爪情報の検出手法は、例えば、印刷指Ｕ１や爪Ｔと背景（本実施形態では、指載置部１１６ａ）との色の差を印刷指Ｕ１や爪Ｔの形状（輪郭）を検出する。また、爪Ｔと印刷指Ｕ１との色の差や陰影の付き方等から爪Ｔと印刷指Ｕ１の皮膚との境界を検出し、爪Ｔの形状（輪郭）を取得する。
また、例えば撮影部５０において、照明装置５２による光の照射角度等を変えながら複数回撮影を行い、複数枚の爪画像が取得されている場合には、爪情報検出部８１２は、爪画像に現れる陰影の程度等に基づいて、爪Ｔ表面の幅方向における湾曲の程度がどの程度であるかを示す曲面レベルを取得する。この曲面レベルは、後述する図４に示すように、爪Ｔ表面の水平方向の所定間隔毎の位置の湾曲の程度、すなわち爪Ｔ表面の水平方向に対する傾斜の程度、に対応する情報を含んでいる。
なお、爪情報検出部８１２による爪情報の検出手法は、ここで例示したものに限定されず、各種の手法を用いることが可能である。また、爪情報検出部８１２が曲面レベルを検出するとしたが、この曲面レベルは爪情報検出部８１２が検出する態様に限るものではなく、例えば予め曲面レベルの標準的な値が設定されていてもよく、ユーザがその曲面レベルの設定値を変更可能となっていてもよい。
【００３４】
図３は、描画対象である爪Ｔを示す模式図である。
図３では、描画対象面である爪Ｔの爪表面を上方から見た平面図と、爪Ｔを先端側から見た正面図とを１つの図の中に示し、爪表面を上方から平面的に見た場合の見かけ上の爪幅寸法をｗとしている。
また、比較的平坦で曲面補正を必要としない爪幅方向のほぼ中央部の領域を「Ａｒ_Ｎ」、湾曲していて曲面補正が必要な爪幅方向の両端部のうち、左側端部の領域を「Ａｒ_Ｌ」、右側端部の領域を「Ａｒ_Ｒ」としている。曲面補正が必要な「Ａｒ_Ｌ」及び「Ａｒ_Ｒ」は、それぞれ３ｍｍ程度の幅の領域である。なお、「Ａｒ_Ｌ」及び「Ａｒ_Ｒ」をどの程度の幅とするかは、所定のデフォルト値が設定されていてもよいし、爪Ｔ表面の曲面レベル等により異なってもよい。
【００３５】
爪情報検出部８１２は、爪Ｔ表面の湾曲形状を各爪Ｔごとに精密に検出してもよいが、本実施形態では、図４（ａ）に示すように、曲面レベルを５段階に分けて、それぞれに爪Ｔの端部側の水平方向の所定間隔毎の位置に対応して、その位置の爪Ｔ表面の湾曲の程度、すなわち爪Ｔ表面の水平方向に対する傾斜の程度に応じた、補正レベル値を設定したテーブルが補正用データ記憶領域８２４に記憶されており、爪情報検出部８１２は、爪Ｔ表面の曲面レベルがこれらのうちのいずれの曲面レベルに最も近いかを判断して、爪Ｔ表面の曲面レベルを曲面レベル１〜５のいずれかに分類するようになっている。
図４（ａ）では、図４（ｂ）に示すように比較的湾曲の少ない全体に平坦な爪Ｔ表面の曲面レベルを「曲面レベル１」とし、比較的大きく湾曲した爪Ｔ表面の曲面レベルを「曲面レベル５」とし、そのほぼ中間の一般的・標準的な爪Ｔ表面の曲面レベルを「曲面レベル３」として分類した場合に、各曲面レベルについて爪幅方向の一端部から他端部までの補正レベル値を「１」から「４」の値で設定している。図４（ａ）の表における横方向の並びは、図４（ｂ）に示す爪Ｔの端部側の所定間隔毎の位置Ｄ１〜Ｄ１７のそれぞれに対応している。
図４（ｂ）は、各曲面レベルの爪Ｔの幅方向右側の端部から所定範囲内の曲面形状の例を示しており、図４（ａ）は、図４（ｂ）にほぼ対応するように、各曲面レベルについて位置毎の補正レベル値を示したものである。
また、図４（ａ）に示す「１」から「４」の値は、後述する図５に示す補正レベル値「１」から「４」と共通である。
【００３６】
描画データ生成部８１３は、描画ヘッド４１により印刷指Ｕ１の爪Ｔにネイルデザインの描画を施すのに必要なデータを生成するものである。
本実施形態では、描画データ生成部８１３は、まず、爪情報検出部８１２により検出された曲面レベルに応じて、爪Ｔに描画するネイルデザインのデザインデータについてその爪Ｔの爪幅方向における長さを伸長させた幅広画像データを形成する。
そして、次に、当該幅広画像データにおける爪幅方向の両端部に対応するデータを曲面レベルに応じて圧縮し爪Ｔの二次元上の形状に合致させる形状補正を行って描画用画像データを生成する。
【００３７】
ここで、図５及び図６を参照して、描画データ生成部８１３によるデザインデータの形状補正について具体的に説明する。なお、図５、図６等は、図４（ａ）及び図４（ｂ）における曲面レベル３に近いパターンの湾曲形状の爪を想定しているが、説明の便宜のため、図４（ａ）よりも補正対象となる爪Ｔの端部側の補正レベル値を示す位置毎の距離間隔を図４（ａ）、図４（ｂ）の場合より大きくして、各位置をｄ０〜ｄ６として、単純化して示している。
図５は、爪Ｔの端部側の複数の位置ｄ０〜ｄ６と各位置における補正レベル値を対応付けたテーブルの一例である。
なお、図５に示すｄ０〜ｄ６は、図３及び図６に示すｄ０〜ｄ６と共通である。すなわち、ｄ１〜ｄ６は曲面補正が必要な「Ａｒ_Ｌ」及び「Ａｒ_Ｒ」の領域内の位置であり、ｄ６が最も湾曲度合の大きな爪幅方向左右の最端部の位置を示しており、ｄ１が「Ａｒ_Ｌ」及び「Ａｒ_Ｒ」の領域のうち、最も「Ａｒ_Ｎ」に近い中央部寄りの位置を示している。また、ｄ０は、曲面補正が不要である「Ａｒ_Ｎ」の領域内の位置を意味する。
図５のテーブルにおいて、ｄ０と対応付けられている補正レベル値「１」は曲面補正を行わないことを意味しており、ｄ１〜ｄ６と対応付けられている補正レベル値「２」〜「４」は曲面補正を行わない場合と比較してそれぞれ２倍〜４倍の補正量であることを意味する。
図５及び図６に示す例では、「Ａｒ_Ｌ」及び「Ａｒ_Ｒ」の領域内の位置のうち、最端部の位置であるｄ６の補正レベル値が「４」であり、ｄ４、ｄ５では補正レベル値「３」、ｄ３〜ｄ１では補正レベル値「２」である場合を示している。また、曲面補正が不要である「Ａｒ_Ｎ」の領域内の位置であるｄ０の補正レベル値は曲面補正を行わないことを意味する「１」と規定されている。
【００３８】
描画データ生成部８１３は、爪Ｔ表面の曲面レベルを取得すると、図５に示すようなテーブルを補正用データ記憶領域８２４から読み出して参照し、当該曲面レベルに応じた補正レベル値を当てはめて、ネイルデザインのデザインデータについて、図６の一番上に示すような幅広画像データを形成する。
幅広画像データは、もとのデザインデータに対して、補正レベル値「１」の位置については１倍、補正レベル値「４」の位置については４倍にデータを増やすことによって爪Ｔの爪幅方向におけるデザインデータを伸長させたものである。
次に、描画データ生成部８１３は、幅広画像データを形成する際に参照したものと同じテーブル（すなわち、この例では図５に示すテーブル）を用いて、幅広画像データから描画用画像データを生成する。
具体的には、補正レベル値「４」とされた爪幅方向の最端部については４分の１にデータを間引き、補正レベル値「３」とされた部分については３分の１にデータを間引き、補正レベル値「２」とされた部分については２分の１にデータを間引く。なお、図６の上から２段目の図では、間引いたデータを白抜きで示している。
このように補正レベル値に応じて適宜データを間引いた上で描画対象面である爪Ｔの表面に書くデータを割り付けることにより、図６の上から３段目の図に示すように、爪幅方向の両端部に対応するデータを曲面レベルに応じて圧縮し、爪Ｔの二次元上の形状、すなわち図３の下方に示したような、爪Ｔを真上から見た平面図上の形状に合致させる形状補正が施された描画用画像データが生成される。
このように、デザインデータについて爪Ｔの曲面形状に応じた形状補正を行うことによって、図６の一番下の段に示すように、爪Ｔの両端部まで均一に描画を施すことができる。
【００３９】
しかし、図６の一番下の段に示す状態では、爪Ｔの中央部と比較して、爪Ｔの両端部では描画されるドットの密度が低くなり、印刷濃度が薄くなってしまう。
このため、描画データ生成部８１３は、さらに、描画用画像データについて、描画ヘッド４１の複数回の走査における複数のノズルの駆動状況を曲面レベルに基づいて規定した噴射制御データを生成する。
例えば、図７（ａ）に示すように、２５６×２５６のマスクパターンで構成される単位領域があり、これを４回の走査で描画する場合について説明すると以下のようになる。
マスクパターンで構成される単位領域には、０〜２５５の数値を有するドットデータが均一に分散されている。例えばこの単位領域を４回の走査で描画する場合には、描画データ生成部８１３は、このドットデータを、数値が０から６３、６４から１２７、１２８から１９１、１９１から２５５の４グループに分け、図５に示す補正レベル値に応じて、各走査時におけるノズルの駆動状況（すなわち、各走査時においていずれの数値の箇所にインクを噴射するか）を規定するデータを生成する。
【００４０】
図７（ｂ）は、補正レベル値と、各補正レベル値に応じてノズルの駆動状況を対応付けた噴射制御データの一例を示したものである。
また、図８（ａ）から図８（ｄ）は、補正レベル値「１」から補正レベル値「４」の場合のそれぞれにおいて、図７（ｂ）に示す噴射制御データにしたがって描画を行った場合に、１回目から４回目までの各走査において駆動されるノズルの範囲を模式的に示した説明図である。
図７（ｂ）及び図８（ａ）に示すように、曲面補正を行わない補正レベル値「１」の場合には、１回目から４回目までの各走査において、４つにグループ分けされたドットを順次埋めるように描画ヘッド４１のノズルを駆動させる。
すなわち、１回目の走査では０〜２５５のドットデータのうちの０〜６３に相当するところだけ描画ヘッド４１のノズルを駆動させてインクを噴射させる。２回目の走査時には既に打ち終わった０〜６３に相当する部分についてはフィルタリングしておき、６４〜１２７に相当するところだけ描画ヘッド４１のノズルを駆動させてインクを噴射させる。また、３回目の走査時には既に打ち終わった０〜１２７に相当する部分についてはフィルタリングしておくとともに、１２８〜１９１に相当するところだけ描画ヘッド４１のノズルを駆動させてインクを噴射させる。そして４回目の走査時には既に打ち終わった０〜１９１に相当する部分についてはフィルタリングしておいて、１９２〜２５５に相当するところだけ描画ヘッド４１のノズルを駆動させてインクを噴射させる。そうすると４回走査されると０から２５５までの全てに対してインクが噴射されることになり、１００％となる。
このようにして４回走査を行うと、０から２５５の全てのマスクパターンが埋まり、単位領域を構成する０から２５５までの全てのドットについて１回ずつ描画ヘッド４１のノズルからインクが噴射され、１００％の描画が行われる。
【００４１】
これに対して、補正レベル値「２」の場合には、１回目と２回目の走査で０から２５５の全てのドットについて１回ずつ描画ヘッド４１のノズルからインクが噴射され、さらに３回目と４回目の走査でも０から２５５の全てのドットについて１回ずつ描画ヘッド４１のノズルからインクが噴射される。このため、４回走査を行った時点では、０から２５５の全てのドットについて２回ずつ描画ヘッド４１のノズルからインクが噴射され、２００％の描画が行われる（図８（ｂ）参照）。
また、補正レベル値「３」の場合には、１回目と２回目の走査で０から２５５の全てのドットについて１回ずつ描画ヘッド４１のノズルからインクが噴射され、さらに３回目と４回目の走査ではそれぞれ０から２５５の全てのドットについて１回ずつ描画ヘッド４１のノズルからインクが噴射される。このため、４回走査を行った時点では、０から２５５の全てのドットについて３回ずつ描画ヘッド４１のノズルからインクが噴射され、３００％の描画が行われる（図８（ｃ）参照）。
さらに、補正レベル値「４」の場合には、１回目から４回目の全ての走査においてそれぞれ０から２５５の全てのドットについて１回ずつ描画ヘッド４１のノズルからインクが噴射される。このため、４回走査を行った時点では、０から２５５の全てのドットについて４回ずつ描画ヘッド４１のノズルからインクが噴射され、４００％の描画が行われる（図８（ｄ）参照）。
【００４２】
これにより、図９に模式的に示すように、補正レベル値が「１」である曲面補正の不要な領域Ａｒ_Ｎにおいては、１回分（１００％）の描画が行われて、爪Ｔの上に過不足なく均一にインクが乗った状態となる。
これに対して、補正レベル値が「４」である爪Ｔの幅方向の最端部では、４回分の描画が重なった状態となり、４００％の十分な濃度を確保することができる。
また、補正レベル値が「２」から「３」である領域では、それぞれ、２回分（２００％）、３回分（３００％）の濃度での描画を行うことができ、曲面レベルに応じた濃度補正を実現することができる。
【００４３】
なお、描画データ生成部８１３において生成される噴射制御データは、図７（ｂ）に例示したものに限定されない。
例えば、図７（ａ）や図８（ａ）に示す補正レベル値「１」の場合のように、各走査において、それぞれ４分の１のドットについてはすべて埋めるとともに、これとは別の４分の１のドットについて、駆動させるノズルの範囲を変えて（すなわち一部のノズルを駆動させて）インクを噴射させてもよい。
すなわち、例えば、図１０に示すように、１回目の走査において０〜６３のドットについては全て描画し、６４〜１２７のドットについてはその一部を描画する。同様に２回目の走査では６４〜１２７のドットについて全て描画し、１２８〜１９１のドットについてはその一部を描画し、３回目の走査では１２８〜１９１のドットについて全て描画し、１９２〜２５５のドットについてはその一部を描画し、４回目の走査では１９２〜２５５のドットについて全て描画し、０〜６３のドットについてはその一部を描画するように噴射制御データを生成する。
このとき、駆動させるノズルの範囲を段階的に増やしていくことにより、１００％と２００％との間で、濃度をリニアに調整することが可能となる。
同様の手法によれば、補正レベル値「２」の場合には、２００％と３００％との間で、また、補正レベル値「３」の場合には、３００％と４００％との間で、濃度をリニアに調整することができる。
【００４４】
描画制御部８１４は、複数のノズルの全部又は一部を駆動させながら描画対象面である爪表面上で単位領域あたり複数回描画ヘッド４１を走査させ、マルチパス方式にて画像を形成させるように描画ヘッド４１を制御する。本実施形態では、爪Ｔの上で描画ヘッド４１を往復移動させながら、単位領域当たり４回の操作（４パス）で画像を形成させるようになっている。
描画制御部８１４は、描画データ生成部８１３によって生成された描画データの噴射制御データに基づいて描画部４０に制御信号を出力し、爪Ｔに対してこの描画データにしたがった描画を施すように描画部４０のＸ方向移動モータ４６、Ｙ方向移動モータ４８、描画ヘッド４１等を制御する。
本実施形態では、噴射制御データに基づいて駆動させるノズルが規定されるため、描画制御部８１４は、噴射制御データにしたがって描画ヘッド４１のノズルの駆動制御を行う。
【００４５】
表示制御部８１５は、表示部２６を制御して表示部２６に各種の表示画面を表示させるものである。本実施形態では、表示制御部８１５は、例えばネイルデザインの選択画面やデザイン確認用のサムネイル画像、印刷指Ｕ１を撮影して取得した爪画像、各種の指示画面、操作画面等を表示部２６に表示させるようになっている。
なお、ユーザの爪Ｔ表面の曲面レベルが決定されると、これを表示部２６に表示させてユーザに確認を求めるようにしてもよい。この場合、ユーザが装置側で自動的に選択された曲面レベルが自分の爪Ｔに合っていないと判断するときは、操作部２５やタッチパネル等から曲面レベルを変更したり、微調整を行ったりすることができてもよい。
【００４６】
次に、図１１を参照しつつ、本実施形態におけるネイルプリント装置１による描画方法について説明する。
【００４７】
このネイルプリント装置１により描画を行う場合、ユーザはまず、電源スイッチを入れて制御装置８０を起動させる。
描画スイッチから指示が入力されると、描画動作を開始する前に、まず撮影制御部８１１が撮影部５０を制御して、照明装置５２により印刷指Ｕ１を照明しながら撮像装置５１により印刷指Ｕ１を撮影させる。これにより、撮影制御部８１１は、印刷指Ｕ１の爪Ｔの撮影画像（爪画像）を取得する（ステップＳ１）。
次に爪情報検出部８１２が爪画像から、爪Ｔの輪郭や爪Ｔの高さ方向の位置等の爪情報を検出する（ステップＳ２）。
さらに、爪情報検出部８１２は爪情報から描画対象である爪Ｔの爪幅方向における湾曲の程度を示す曲面レベルを取得する（ステップＳ３）。
【００４８】
爪Ｔについて曲面レベルが取得されると、描画データ生成部８１３は、この曲面レベルに応じて設定された補正レベル値に基づいて幅広画像データを生成する（ステップＳ４）。
具体的には、曲面レベルに応じて爪Ｔの爪幅方向の位置に応じた補正レベル値が設定されたテーブルを参照し、爪Ｔを上面視した場合の見かけ上の爪幅よりも幅の広の幅広画像データを生成する。
さらに、描画データ生成部８１３は、幅広画像データを生成する際に参照したのと同じテーブルを参照して、幅広画像デーＴタにおける爪幅方向の両端部に対応するデータを曲面レベルに応じて圧縮して爪の二次元上の形状に合致させる形状補正を行い、描画用画像データを生成する（ステップＳ５）。
そして、描画データ生成部８１３は、この描画用画像データについて、曲面レベルに応じた補正レベル値に基づいて描画ヘッド４１のノズルの駆動制御を行うための噴射制御データを生成する（ステップＳ６）。
【００４９】
描画データ生成部８１３により、描画用画像データについての噴射制御データが生成されると、描画制御部８１４はこれに基づいて描画ヘッド４１の動作を制御し、爪Ｔへのネイルデザインの描画処理を開始する（ステップＳ７）。
本実施形態では、爪Ｔの上で描画ヘッド４１を４回走査することで単位領域当たりの描画を完了させる。各走査においていずれのノズルを駆動させていずれの位置にインクを噴射させるのかは、噴射制御データにしたがって制御される。
なお、描画対象である爪Ｔの表面が、複数の単位領域で構成されている場合には、各単位領域について同様の処理を繰り返す。
描画制御部８１４は、爪Ｔについて全ての描画処理が終了したか否かを常に判断し（ステップＳ８）、描画処理が終了した場合（ステップＳ８；ＹＥＳ）には処理を終了し、終了していない（すなわち、描画ヘッドによる４回の操作が終了していないか、複数の単位領域がある場合に未描画の単位領域がある）場合（ステップＳ８；ＮＯ）には、ステップＳ７に戻って処理を繰り返す。
【００５０】
以上のように、本実施形態によれば、ネイルプリント装置１が、インクを噴射する複数のノズルを備えマルチパス方式にて画像を形成させるインクジェット方式の描画ヘッド４１を備える場合に、爪Ｔの爪幅方向における湾曲の程度を示す曲面レベルを取得し、描画ヘッド４１の複数回の走査における複数のノズルの駆動状況を制御する噴射制御データを爪Ｔ表面の曲面レベルに基づいて規定して、この噴射制御データに基づいて描画ヘッド４１を制御する。
このように、本実施形態では、複数回の走査におけるノズルからのインク噴射を制御することによって描画における濃度調整を行うため、ネイルデザインの画像データ自体は、例えば６００ｄｐｉ等の比較的小さなサイズに抑えることができる。このため、画像データを記憶する記憶部（本実施形態ではネイルデザイン記憶領域８２３）の容量も少なくてすむ。
そして、画像の濃度調整を行うための補正レベル値は爪Ｔ表面の曲面レベルに応じたものとなっているため、爪Ｔの曲面形状に合った適切な曲面補正を行うことができ、爪Ｔの端部まで美しい仕上がりの描画を行うことができる。
また、描画データ生成部８１３は、爪Ｔに描画するネイルデザインのデザインデータを爪幅方向における長さを曲面レベルに応じて一旦伸長させて幅広画像データを形成し、その後、当該幅広画像データにおける爪幅方向の両端部に対応するデータを曲面レベルに応じて圧縮し爪Ｔの二次元上の形状に合致させる形状補正を行って描画用画像データを生成する。
このように、ネイルデザインの画像データについて曲面形状に合せた形状補正を行うため、爪幅方向の端部においてもデザインが歪んだり、間延びしたりすることがなく、美しい仕上がりのネイルデザインを描画することができる。
【００５１】
なお、以上本発明の実施形態について説明したが、本発明は、かかる実施形態に限定されず、その要旨を逸脱しない範囲で、種々変形が可能であることは言うまでもない。
【００５２】
例えば、本実施形態では、描画データ生成部８１３が、ネイルデザインのデータに対して、曲面補正として形状補正と濃度補正との両方を行うものとしたが、形状補正を行うことは必須ではない。例えば、ネイルデザインが複数色のグラデーションで構成されている場合や、ラインが入っているだけである場合等であれば、爪の幅方向の端部において多少画像が歪んだり、間延びしたりしても全体の仕上がりに大きく影響を与えない。
このため、ネイルデザインがこのようなデザインである場合等には、形状補正を行わず、単に濃度補正のみを行う構成としてもよい。
この場合にも、描画データ生成部８１３が曲面レベルに応じた補正レベル値にしたがい描画用画像データについて噴射制御データを生成し、これにしたがって描画ヘッド４１のノズルの噴射制御を行うことにより、ネイルデザインの画像データ自体のサイズは小さく抑えつつ、ノズル制御によって、爪幅方向の両端部において、１００％以上の複数段階の濃度を実現することができる。
【００５３】
また、本実施形態では、ネイルデザインの画像データが装置内の記憶部８２に記憶されている場合を例示したが、ネイルデザインの画像データは、例えばインターネット等を介して外部装置から取得してもよい。
この場合、画像データのサイズが大きいと通信に時間を要するが、本実施形態では、前述のように、複数回の走査におけるノズルからのインク噴射を制御することによって描画における濃度調整を行うため、ネイルデザインの画像データ自体は、たとえば６００ｄｐｉ等の比較的小さなサイズに抑えることができる。このため、外部装置からネイルデザインの画像データを取得する場合でも円滑にデータの送受信を行うことができる。
【００５４】
また、本実施形態では、描画ヘッド４１がインクジェット方式のものである場合を例示して説明したが、描画ヘッドはこれに限定されず、例えば、インクジェット方式の描画ヘッドと、ペン等の描画用具とを両方備え、両者を使って描画を行うものであってもよい。
【００５５】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
描画対象である爪表面に対して描画を行う描画ヘッドと、
前記爪表面の特定の場所に対して前記描画ヘッドを複数回走査させ、前記複数回の走査のそれぞれにおいて前記特定の場所に対して前記描画ヘッドにより前記描画を行うか否かを前記爪表面の湾曲の程度に基づいて制御する描画制御部と、
を備えることを特徴とする描画装置。
＜請求項２＞
前記描画ヘッドは、インクを噴射する複数のノズルを備え、
前記描画制御部は、前記複数のノズルの全部又は一部を駆動させながら前記爪表面に対して前記描画ヘッドを前記複数回走査させて画像を形成させるように前記描画ヘッドを制御し、前記複数回の走査のそれぞれにおける前記複数のノズルの駆動状況を前記爪表面の前記爪表面の湾曲の程度に基づいて制御することを特徴とする請求項１に記載の描画装置。
＜請求項３＞
前記描画制御部は、前記爪表面上の特定の箇所に対して前記複数回の走査により前記複数のノズルの全部又は一部から噴射されて塗布されるインクの量が、前記特定の箇所の前記湾曲の程度が大きいほど増えるように制御することを特徴とする請求項２に記載の描画装置。
＜請求項４＞
前記描画ヘッドの複数回の前記走査における前記複数のノズルの駆動状況を前記爪表面の湾曲の程度に基づいて規定する噴射制御データを生成する描画データ生成部を備え、
前記描画制御部は、前記噴射制御データに基づいて前記描画ヘッドを制御し、
前記描画データ生成部は、前記爪に描画するネイルデザインのデザインデータを前記爪の爪幅方向における長さを前記爪表面の湾曲の程度に応じて伸長させた幅広画像データを形成するとともに、当該幅広画像データにおける前記爪幅方向の両端部に対応するデータを前記爪表面の湾曲の程度に応じて圧縮し前記爪の二次元上の形状に合致させる形状補正を行って描画用画像データを生成し、当該描画用画像データについて前記噴射制御データを生成することを特徴とする請求項２又は請求項３に記載の描画装置。
＜請求項５＞
描画装置の描画方法であって、
前記描画装置は、描画対象である爪表面に対して描画を行う描画ヘッドを備え、
前記爪表面の特定の場所に対して前記描画ヘッドを複数回走査させる第１制御ステップと、
前記複数回の走査のそれぞれにおいて前記特定の場所に対して前記描画ヘッドにより前記描画を行うか否かを前記爪表面の湾曲の程度に基づいて制御する第２制御ステップと、
を含むことを特徴とする描画方法。
＜請求項６＞
前記描画ヘッドは、インクを噴射する複数のノズルを備え、
前記第１制御ステップにおいて、前記複数のノズルの全部又は一部を駆動させながら前記爪表面に対して前記描画ヘッドを前記複数回走査させ、
前記第２制御ステップにおいて、前記複数回の走査のそれぞれにおける前記複数のノズルの駆動状況を前記爪表面の湾曲の程度に基づいて制御する、
ことを特徴とする請求項５に記載の描画方法。
＜請求項７＞
前記第２制御ステップにおいて、前記爪表面上の特定の箇所に対して前記複数回の走査により前記複数のノズルの全部又は一部から噴射されて塗布されるインクの量が、前記特定の箇所の前記湾曲の程度が大きいほど増えるように制御する、
ことを特徴とする請求項６に記載の描画方法。
＜請求項８＞
前記爪の爪幅方向における位置に応じた前記描画ヘッドの複数回の前記走査における前記複数のノズルの駆動状況を前記爪表面の湾曲の程度に基づいて規定する噴射制御データを生成する噴射制御データ生成ステップと、
前記噴射制御データに基づいて前記描画ヘッドの前記複数のノズルを駆動させて前記爪に描画を行う描画ステップと、
を含み、
前記噴射制御データ生成ステップにおいて、
前記爪に描画するネイルデザインのデザインデータを前記爪の爪幅方向における長さを前記爪表面の湾曲の程度に応じて伸長させた幅広画像データを形成し、
当該幅広画像データにおける前記爪幅方向の両端部に対応するデータを前記爪表面の湾曲の程度に応じて圧縮して前記爪の二次元上の形状に合致させる形状補正を行うことで描画用画像データを生成し、
前記噴射制御データは、当該描画用画像データについて生成されることを特徴とする請求項６又は請求項７に記載の描画方法。
【符号の説明】
【００５６】
１        ネイルプリント装置
４０      描画部
４１      描画ヘッド
５０      撮影部
８１      制御部
８２      記憶部
８１２    爪情報検出部
８１３    描画データ生成部
８２４    補正用データ記憶領域
Ｔ        爪
Ｕ１      印刷指
【図１】
2018153526.tif 000003
【図２】
2018153526.tif 000004
【図３】
2018153526.tif 000005
【図４】
2018153526.tif 000006
【図５】
2018153526.tif 000007
【図６】
2018153526.tif 000008
【図７】
2018153526.tif 000009
【図８】
2018153526.tif 000010
【図９】
2018153526.tif 000011
【図１０】
2018153526.tif 000012
【図１１】
2018153526.tif 000013